(57)【要約】【課題】宇宙の形はどのようであるか。【解決手段】宇宙の中心のブラックホールが走らない場合、宇宙の形は球形です。宇宙の中心のブラックホールが走る場合、宇宙の形は筒型です。宇宙の中心のブラックホールは、ビッグバンの以前、陽子のラブの集団であった。ビッグバンの時爆発し、陽子のラブの集団の中心が残り、これが宇宙の中心のブラックホールになった。陽子のラブの塊は回転(自転)し走らない。宇宙の中心のブラックホールの質量は2.631×1013太陽質量で、重いので、光速では走れない。U1.27の大クエーサー群が半円になっていることや、宇宙の中心のブラックホールのジェットが届いた軌道半径は、現代2×109光年です。大クエーサー群が存在する軌道半径の範囲は1×109光年〜2.5×109光年である事により、宇宙の中心のブラックホールは自転しており、走らないことが理解できる。よって、宇宙の形は球体である。【選択図】図１
2016039667.tif 000002
【特許請求の範囲】
【請求項１】
宇宙の中心のブラックホールはどのようにできたか。
宇宙の中心のブラックホールは陽子のラブでできています。ビッグバンの以前、中心に存在した陽子のラブの集団が爆発した時、陽子のラブの集団の外側は飛び出した。
陽子のラブの集団の中心は、塊のままです。それは、まるで、太陽質量の8倍以上の星が超新星爆発をするとき、中心の中性子星が残り、太陽質量の30倍以上の星が超新星爆発をするとき、中心のブラックホールが残る現象と同じです。
ビッグバンの時、陽子のラブの集団の中心は残り、それは、宇宙の中心のブラックホールになった。
【請求項２】
宇宙の中心のブラックホールは一定の位置にいるか、それとも走るか。
宇宙の中心のブラックホールは一定の位置にいるか、それとも走るか。この事により、宇宙の形は変わる。その事については、次のように理解した。
2013年2月15日に提出した、特願2013−027190、「宇宙の形」において中心のブラックホールが移動しない場合、宇宙は球体です。その軌道にビッグバンからの歴史が刻み込まれている。中心のブラックホールが移動する場合も宇宙の形は小さな球体が3個付いている直径1010光年の球体です。
2013年2月16日に提出した、特願2013−028476、「宇宙の形2」におて、宇宙の中心のブラックホールが進んだ距離と宇宙の大きさを計算し、1010光年：10cm＝1010×9.46×1012×103×102：10＝9.46×1026：１、の縮図を示した。
【請求項３】
宇宙の中心のブラックホールは陽子のラブですから走らないと考える。
宇宙の中心のブラックホールは陽子のラブですから走らないと考える。
それで、宇宙の形は球体です。筒型には成っていない。
宇宙の中心のブラックホールの質量は2.631×1013太陽質量です。
それで、宇宙の中心のブラックホールは重いので、光速に近い速さでは走れない。
【請求項４】
宇宙の中心のブラックホールから地球までの距離はいくらか。
2014年2月27日に提出した、特願2014−037449、「宇宙の中心のブラックホールができた時空とU１．２７と泡構造」の「請求項６」において次のように理解した。
(「請求項６」    宇宙の中心のブラックホールから地球までの距離はいくらか。
・2013年10月15日に提出した、特願2013−214732、「大クエーサー群のU1.27とスローン・グレートウオールとCfA2グレートウオ―ル」に於いて次のように考えた。
１．宇宙の中心のブラックホールからU1.27までの軌道半径は12.866×108光年で、この軌道速度は、6.298×102Kmです。
１．宇宙の中心のブラックホールから地球までの軌道半径は142.066×108光年で、この軌道の速度は1.895×102Kmです。
１．U1.27から地球までの距離は、129.2×108光年です。
・2013年2月11日に提出した、特願2013-023929、「宇宙の形と宇宙の直径と宇宙の質量と宇宙の運動と泡宇宙」に於いて次のように考えた。
１．宇宙の中心のブラックホールが作る速度が3×102Kmの軌道半径は、5.663×109光年です。
１．銀河系のすぐ近くに存在する、半径108光年のボイドの端の銀河系の速度を3×102Kmとすると、そのボイドの中心には、6.194×1010太陽質量のブラックホールがある。
この２つは、ボイドの周囲の速度を3×102Kmとし、かつまた、宇宙の端の速度を3×102Kmとしている。
宇宙の中心のブラックホールが作る宇宙の端の軌道速度は3×102Kmより遅いと考える。
それで、宇宙の軌道半径は5.663×109光年より大きいと考える)
U1.27の観察より、宇宙の中心のブラックホールから地球までの距離は142×108光年とし、宇宙の中心のブラックホールからブラックホールゾーンの間隔を6×108光年とし、地球からブラックホールゾーンまでの距離を136×108光年とした。
これを宇宙の距離とする。
【請求項５】
大クエーサー群の多くは、宇宙の中心のブラックホールから、半径10×108光年〜25×108光年の軌道に存在する。この事は何を意味するか。
2014年4月1日に提出した、特願2014−075852、「星の中央の中性子の塊と引力と宇宙の初期の中性子の塊と引力でできる元素」で理解したこと。
(１．大クエーサー群が109光年の軌道半径に存在する理由は、宇宙の中心のブラックホールのジェトがそれを作ったからです。
２．大クエーサー群の多くは、宇宙の中心のブラックホールから、半径10×108光年〜25×108光年の軌道に存在する。(これは、2014年3月19日に、日本天文学会で発表した)
表２
2016039667.tif 000004
-は地球の位置の反対方向を示す。)
宇宙の中心のブラックホールは2.631×1013太陽質量です。10-17m時代、ジェットは噴出し、2.036×106光年の軌道半径に届き、この軌道のダークマターを活性化して、水素にし、その場は「超ブラックホールの素子」であるので、1011〜109太陽質量のブラックホールを作った。
1011〜109太陽質量のブラックホールが集まって大クエーサー群になった。
その軌道半径は現代、2.036×109光年の軌道半径になっている。(これについては、2014年４月23日に提出した、「宇宙の泡構造とフィラメント構造」に記した)
そして、この大クエーサー群は、現代半径10×108光年〜25×108光年の軌道に存在する。
この事は、宇宙の中心のブラックホールは特定のところに居て、自転しながらジェットを噴出していた証拠です。
宇宙の中心のブラックホールは移動しなかった。この事は宇宙の形は球体であることを示す。
【請求項６】
U1.27の質量は合計で6.1×1018太陽質量です。U1.27の長さは最大で40.4×108光年で、この長さは宇宙の半円周だった。U1.27が宇宙の半円周に存在する泡構造達の中心のブラックホールになった。この事は何を意味するか。
2014年2月27日に提出した、特願2014−037449、「宇宙の中心のブラックホールができた時空とU１．２７と泡構造」において、次のように理解した。
(３．U1.27の大クエーサー1個のブラックホールの質量と、銀河系のすぐ近くに存在するボイドの中心のブラックホールの質量はほぼ等しい。
それで、U1.27の大クエーサー1個が、銀河系のすぐ近くに存在するボイドの中心のブラックホールになった、と推測できる。
U1.27の大クエーサー1個が、泡構造の中心のブラックホールになったと考えられる。
４．泡構造の中心のブラックホールの質量が6.194×1010太陽質量の場合、宇宙の半円周に存在する泡構造達の全質量は5.215×1018太陽質量です。(宇宙の半径を5.663×109光年とする)
５．U1.27の質量は合計で6.1×1018太陽質量です。U1.27の長さは最大で40.4×108光年で、この長さは宇宙の半円周だった。
U1.27が宇宙の半円周に存在する泡構造達になった)
これらの事は、宇宙の中心のブラックホールは特定の位置にいて、自転しながらジェットを噴出していた事を示す。
それで、半円にU1.27の大クエーサー群ができた。
宇宙の中心のブラックホールは特定の位置にいて、自転しながらジェットを噴出していた。
それで、宇宙の形は球体です。
【発明の詳細な説明】
【技術分野】
【０００１】
本発明は、宇宙の形に関するものである。
【背景技術】
【０００２】
私は、2013年2月11日に提出した、特願2013−023929、「宇宙の形と宇宙の直径と宇宙の質量と宇宙の運動と泡宇宙」において、宇宙はビッグバンの痕にできた2.631×1013太陽質量のブラックホールを中心に回転している半径5.669×109光年の球体であると理解した。
2013年2月15日に提出した、特願2013−027190、「宇宙の形」において中心のブラックホールが移動しない場合、宇宙は球体です。その軌道にビッグバンからの歴史が刻み込まれている。中心のブラックホールが移動する場合も宇宙の形は小さな球体が3個付いている直径1010光年の球体ですと理解した。
2013年2月16日に提出した、特願2013−028476、「宇宙の形2」におて、宇宙の中心のブラックホールが進んだ距離と宇宙の大きさを計算し、1010光年：10cm＝1010×9.46×1012×103×102：10＝9.46×1026：１、の縮図を示した。
2013年10月15日に提出した、特願2013−214732、「大クエーサー群のU1.27とスローン・グレートウオールとCfA2グレートウオ―ル」において、U1.27から、宇宙の半径は142×108光年であり、大クエーサー群のU1.27とスローン・グレートウオールとCfA2グレートウオ―ルは図のように存在すると理解した。
2014年4月１日に提出した、特願2014-075852、「星の中央の中性子の塊と引力と宇宙の初期の中性子の塊と引力でできる元素」において、宇宙の中心のブラックホールから、大クエーサー群の距離を計算すると、ほぼ25×108光年までの軌道半径に存在すると理解した。
この事により、宇宙の中心のブラックホールから届いたジェットにより大クエーサー群のブラックホールはできたことが理解できた。宇宙の図を示した。
2014年4月2日に提出した、特願2014−088643、「宇宙の泡構造とフィラメント構造」において、フィラメント構造ができていく過程の宇宙の図を示した。
2014年5月19日に提出した、特願2014-103825、「ビッグバンの位置と宇宙の中心のブラックホールの位置と地球の位置」において、ビッグバンのおきた点から、現代宇宙の中心のブラックホールが存在する点までの距離は130×108光年であると求めた。
2014年2月27日に提出した、特願2014−037449、「宇宙の中心のブラックホールができた時空とU１．２７と泡構造」において、次のように理解した。
１．宇宙の中心のブラックホールが出来た場の電子のラブのエネルギーは、7.913×10-3Jで、電子のラブの公転軌道は、1.095×10-21mです。Aは、9.662×1010です。
２．宇宙の中心のブラックホールが出来た場のAは、9.662×1010ですから、年齢は103歳です。
宇宙の中心のブラックホールができた時は、ビッグバン後103年後です。
宇宙の中心のブラックホールができた点はビッグバンがおきた点の痕です。
３．U1.27の大クエーサー1個のブラックホールの質量と、銀河系のすぐ近くに存在するボイドの中心のブラックホールの質量はほぼ等しい。
それで、U1.27の大クエーサー1個が、銀河系のすぐ近くに存在するボイドの中心のブラックホールになった、と推測できる。
U1.27の大クエーサー1個が、泡構造の中心のブラックホールになったと考えられる。
４．泡構造の中心のブラックホールの質量が6.194×1010太陽質量の場合、宇宙の半円周に存在する泡構造達の全質量は5.215×1018太陽質量です。(宇宙の半径を5.663×109光年とする)
５．U1.27の質量は合計で6.1×1018太陽質量です。U1.27の長さは最大で40.4×108光年で、この長さは宇宙の半円周だった。
U1.27が宇宙の半円周に存在する泡構造達になった。
６．銀河系のすぐ近くに存在する、半径108光年のボイドの端の銀河系の速度を3×102Kmとし、かつまた、宇宙の端の速度を3×102Kmとしている。宇宙の中心のブラックホールが作る宇宙の端の軌道速度は3×102Kmより遅いと考える。
それで、宇宙の軌道半径は5.663×109光年より大きいと考える。
７．中心のブラックホールの質量が、8.835×1010太陽質量である泡構造の端の速度が3×102Kmである場合、泡構造の半径は1.363×108光年です。
中心のブラックホールの質量が、6.194×1010太陽質量である泡構造の端の速度が3×102Kmである場合、泡構造の半径は108光年です。
８．軌道半径142×108光年の半円周に73個の泡構造ができた場合の様子。
宇宙の中心のブラックホールの質量は2.631×1013太陽質量で、宇宙の半径は142×108光年で、その速度は1.895×102Kmです。半径に存在する泡構造の数は23.248で、全宇宙の泡構造の数は5.2605×104個で、全体のブラックホールの質量は4.648×1015太陽質量で、全宇宙の質量は4.396×1021太陽質量です。
○半径142×108光年の間に、泡構造が23.248個存在すると、泡構造の半径は3.054×108光年で、速度は2.004×102Kmです。
○半径129.2×108光年の間に、泡構造が23.248個存在すると、泡構造の半径は2.779×108光年で、速度は2.100×102Kmです。
○半径100×108光年の間に、泡構造が23.248個存在すると、泡構造の半径は2.151×108光年で、速度は2.388×102Kmです。
2014年3月15日に提出した、特願2014−025829、「ブラックホールとブラックホールのジェットが作る軌道と速度」で次のように理解した。
１．現在の宇宙は136億光年まで観測できるとすると、宇宙の中心のブラックホールはそれより6億光年遠くに存在する。この時空は光を通させない環境で、電子のラブの公転軌道は10-16mの時代で、空間は108光年の時空に存在することを示します。この環境の状態はブラックホールの状態です。「ブラックホールの素子」の時代です。
２．4.255×10−16m時代の軌道半径は、4.255×1.42×108光年＝6×108光年です。
３．宇宙の中心のブラックホールが存在した時空は、142×108光年ですから、ビッグバンが起きたのは142×108光年以前の時空です。
４．ブラックホールは陽子のラブの集団です。その陽子のラブの公転軌道は、10-14m÷(ブラックホールのA)＝10-14m÷(7.378×105)＝1.355×10-20m、です。
５．ブラックホールができる原理は次のようです。星の中心は核融合によって出来た中性子だけが存在します。星の中心になるにしたがって、中性子の塊の数は多くなる。
それで、星の中心は中性子だけです。しかし、更に中央部になり更に加圧されると、中性子の外側を回転している電子のラブが排斥され、陽子のラブになります。この陽子のラブの部分が超新星爆発を起こしたときブラックホールになる。
６. ブラックホールのA÷中性子星のA＝7.378×105÷(1.968×105)＝3.749
3.749倍の高エネルギーの場が中性子のラブの外側を回転している電子のラブを排斥した。
即ち、星の中央部で2.582×10-14m 〜5.081×10-16mの場は中性子が存在する場です。
それより高エネルギーの1.355×10-16mの場では中性子として存在することはできません。
この場は中性子の周囲を回転する電子のラブの場がないからです。
それで、中性子の外側を回転する電子のラブは排斥され、陽子のラブだけになります。  
７．星が超新星爆発した時、星の中央のA=1.968×105の場は存続できず、より低エネルギーの場になります。中性子星になったときは、その中性子星は、星の中央に存在していた時と比べたら、外側は膨張します。なぜなら、超新星爆発した所には、A=1.968×105の場は無いからです。
８．このブラックホールは陽子のラブですけれども正確に表現すると、中性子のラブの外側の電子のラブが排斥された陽子のラブです。
９．表に示す。
１０．表に示す。
１１．表に示す。
１２．宇宙の中心の2.631×1013太陽質量のブラックホールからジェットが噴出する時代を10-17m時代とする。そして、大クエーサーからジェットが噴出する時代を10-17m時代とする。クエーサーの中心のブラックホールからジェットが噴出する時代を10-16m時代とする。
１３．宇宙の中心の2.631×1013太陽質量のブラックホールからジェットが噴出する時代を10-17m時代とする。ジェットが届いた軌道半径は、1.926×1019Kmで、2.036×106光年です。
宇宙の中心の2.631×1013太陽質量のブラックホールのジェットが届いた軌道半径に大クエーサーのブラックホールができた。
U1.27大クエーサー群の中には、8.835×1010太陽質量のブラックホールが存在する。
大クエーサーのブラックホールは宇宙の中心の2.631×1013太陽質量のブラックホールを中心に回転する。
１４．大クエーサーのブラックホールの質量が、6.194×1010太陽質量である場合、ジェットが届いた軌道半径は、2.562×1018Km で2.708×105光年です。
大クエーサーのジェットが届いた軌道半径に銀河の中心になるブラックホールができた。
大クエーサーのジェットが届いた軌道半径に泡構造ができた。
大クエーサーのブラックホールは泡構造の中心点になった。
泡構造の銀河達は大クエーサーのブラックホールを中心に回転するようになる。
１５．大クエーサーのブラックホールの質量が、8.835×1010太陽質量である場合、ジェットが届いた軌道半径は、2.886×1018Kmで、3.051×105光年です。
大クエーサーのジェットが届いた軌道半径に銀河の中心になるブラックホールができた。
大クエーサーのジェットが届いた軌道半径に泡構造ができた。
大クエーサーのブラックホールは泡構造の中心点になった。
泡構造の銀河達は大クエーサーのブラックホールを中心に回転するようになる。
１６．クエーサーの中心のブラックホールの質量が、106太陽質量である場合、ジェットが届いた軌道半径は、6.477×1015Kmで6.847×102光年です。
クエーサーの中心のブラックホールのジェットが届いた軌道に星を作るブラックホールができた。
星たちは銀河の中のブラックホールを中心に回転し、かつ、銀河の中央のブラックホールを中心に回転する。
銀河の中心のブラックホールは泡構造の中心の大クエーサーのブラックホールを中心に回転する。
１７．クエーサーの中心のブラックホールの質量が、105太陽質量である場合、ジェットが届いた軌道半径は、3.007×1015Kmで3.179×102光年です。
クエーサーの中心のブラックホールのジェットが届いた軌道に星を作るブラックホールができた。
クエーサーの中心のブラックホールのジェットが届いた軌道に銀河の中のブラックホールができた。
星たちは銀河の中のブラックホールを中心に回転し、かつ、銀河の中心のブラックホールを中心に回転する。
銀河の中心のブラックホールは泡構造の中心の大クエーサーのブラックホールを中心に回転する。
１８．ブラックホールのジェットが作る軌道半径を表に示す。
１９．各時代において、大クエーサーが宇宙の中心のブラックホールの周囲を回転する速度と、自分の中心のブラックホールの周囲を回転する速度の比は一定です。
１．宇宙の中心のブラックホールが作る軌道を回転する場合、同じ軌道を回転するものは同じ速度で回転するので衝突することはない。
2．宇宙の中心のブラックホールが作る軌道半径を回転する速度の方が、大クエーサー(泡構造)が自分の中心のブラックホールが作る軌道を回転する速度より早い。
3．宇宙の中心のブラックホールが作る軌道を回転する場合を横回転、大クエーサー(泡構造)が自分の中心のブラックホールが作る軌道を回転する場合を縦回転とすると、横回転の速度はすべて同じで、縦回転の速度は泡構造の中央に存在するブラックホールの質量で異なる。
２０．表の10-17m時代のようになっている。
２１．表の10-16m時代のようになっている。
２２．10-15m時代、この小質量のブラックホールからジェットが噴出し、ダークマターを活性化し、水素原子にし、これが集まり、星ができた。
２３．U1.27は12.866×108光年の軌道半径に存在します。それで、大クエーサーは軌道半径2.036×109光年の軌道に存在する事が理解できます。
２４．表から理解できた。
２５．いつの時代、ブラックホールからジェットが噴出するかにより、10-14m時代の様子が違ってくる。
2014年4月1日に提出した、特願2014−075852、「星の中央の中性子の塊と引力と宇宙の初期の中性子の塊と引力でできる元素」で理解したこと。
１．大クエーサー群が109光年の軌道半径に存在する理由は、宇宙の中心のブラックホールのジェトがそれを作ったからです。
２．大クエーサー群の多くは、宇宙の中心のブラックホールから、半径25×108光年の軌道に存在する。(これは、2014年3月19日に、日本天文学会で発表した)
３．中性子の塊のサイズは、A＝3.873の軌道を１とすると、1/Aに収縮する。
４．核融合の軌道を1とすると、体積は、1/(A÷3873)3倍になる。
５．各軌道について計算する。
６．各軌道について計算する。
７．各軌道について計算する。
８．各軌道について計算する。
９．ブラックホールは陽子だけで、中性子は存在しません。
中性子は単独で存在しません。それで、元素はできない。
１０．10-20m時代の1原子と１原子の間の引力は、6.103×109J/mです。
また、10-19m時代、1原子と１原子の間の引力は、6.103×105J/mです。
１１．6.103×109J/mのAは1.058×105、です。中性子の塊の数＝9.754×10-4×A＝9.754×10-4×1.058×105＝1.032×102(個)
6.103×109J/mの引力の場では、103個の中性子の塊ができる。
6.103×105J/mのAは1.058×104、です。中性子の塊の数＝9.754×10-4×A＝9.754×10-4×1.058×104＝1.032×10(個)
6.103×105J/mの引力の場では、10個の中性子の塊ができる。
１２．この状態は、星の中央で、引力が大きくなり、中性子の塊が多くなるのとは逆の状態です。
宇宙では、10-20m時代から10-19m時代になり、引力は小さくなり、中性子の塊は小さくなります。
この考えですと、10-18m時代になると、引力は6.103×10J/m、になりますので、10-19m時代、中性子の塊が10個の物体は消滅することになります。
１３．10-20m時代の速度は、1.896×105Km、です。光速に近い。それで、この場ではいくら１原子と１原子の間の引力が6.103×109J/m、であったとしても、元素はできない。
１４．10-19m時代の速度は、5.994×104Km、です。Heはこの時代にできた。LiとBeとBは宇宙に存在する元素の比率が少ないのでこの時代できなかったと考えられる。
2014年4月23日に提出した、特願2014−088643、「宇宙の泡構造とフィラメント構造」において理解したこと。
１．大クエーサーからジェットが噴出する時代を5×10-17m時代として計算する。
２．大クエーサーのブラックホールの質量が、6.194×1010太陽質量である場合、ジェットが届いた軌道半径は、1.281×1018Km で1.354×105光年です。
この軌道の速度は8.177×103Kmです。
・大クエーサーのジェットが届いた軌道半径に泡構造の中心になるブラックホールができた。
・大クエーサーのジェットが届いた軌道半径に泡構造ができた。
・大クエーサーのブラックホールは泡構造の中心点になった。
・泡構造の銀河達は大クエーサーのブラックホールを中心に回転する。
３．大クエーサーのブラックホールの質量が、8.835×1010太陽質量である場合、ジェットが届いた軌道半径は、1.443×1018Kmで、1.525×105光年です。
この軌道の速度は8.643×103Kmです。
大クエーサーのジェットが届いた軌道半径に銀河の中心になるブラックホールができた。
大クエーサーのジェットが届いた軌道半径に泡構造ができた。
大クエーサーのブラックホールは泡構造の中心点になった。
泡構造の銀河達は大クエーサーのブラックホールを中心に回転する。
４．表に示す。
５．表に示す。
６．宇宙の中央のブラックホールのジェットが届いた軌道半径の推移を表に示す。
７．表に示す。
８．表に示す
宇宙の中心のブラックホールが作った軌道半径には、現在宇宙に観察される物の前段階の様子が縮図のようにできています。
・この事により理解できること。
１．5×10-17m時代は、宇宙の中心のブラックホールが作った軌道半径1.018×107光年の軌道の半円の長さは、π×1.018×107光年＝3.14×1.018×107光年＝3.197×107光年、です。
その半円の中に、6.194×1010太陽質量のブラックホールのジェットが届いた円の長さは、2×1.354×105光年×89個＝2.410×107光年です。
宇宙の中心のブラックホールが作った軌道半径1.018×107光年の軌道の半円の長さは、その半円の中に、6.194×1010太陽質量のブラックホールのジェットが届いた円の長さより大きかったので、泡構造でした。
2．10-16m時代は、宇宙の中心のブラックホールが作った軌道半径2.036×107光年の軌道の半円の長さは、6.393×107光年で、その半円の中に、6.194×1010太陽質量のブラックホールのジェットが届いた円の長さは1.205×108光年になり、1.205×108光年÷(6.393×107光年)＝1.885倍になったので、フイラメント構造になった。
3．10-15m時代は、宇宙の中心のブラックホールが作った軌道半径2.036×108光年の軌道の半円の長さは、6.393×108光年で、その半円の中に、6.194×1010太陽質量のブラックホールのジェットが届いた円の長さは1.205×109光年になり、1.205×109光年÷(6.393×108光年)＝1.885倍になったので、フイラメント構造のままです。
4．10-14m時代は、宇宙の中心のブラックホールが作った軌道半径2.036×109光年の軌道の半円の長さは、6.393×109光年で、その半円の中に、6.194×1010太陽質量のブラックホールのジェットが届いた円の長さは1.205×1010光年になり、1.205×1010光年÷(6.393×109光年)＝1.885倍になったので、フイラメント構造のままです。
5．宇宙の中心のブラックホールが作った軌道が、その軌道の中に存在する泡構造の直径×泡構造の数、より大きい場合、泡構造になる。
また、宇宙の中心のブラックホールが作った軌道が、その軌道の中に存在する泡構造の直径×泡構造の数、より小さい場合、フイラメント状構造になる。
6．フイラメント状構造になったものは、泡構造には戻らない。
７．もし、現代から遠い時代、遠い空間において、フイラメント構造になっていたものが、現代、地球に近い空間に於いて、泡構造として観察されるのであれば、それは、現代から遠い時代、遠い空間において、フイラメント構造になっていたのではなく、実際は泡構造であったと考えられる。
９．表に記す。
１０．中心のブラックホールの質量が8.835×1010太陽質量の場合。
・これを計算し、表に記す。
・7.8×10-17m時代に、8.835×1010太陽質量のブラックホールからジェットが噴出した。
・計算し、表に記す。
１１．中心のブラックホールの質量が6.194×1010太陽質量の場合。
・これを計算し、表に記す。
・9.443×10-17m時代に、6.194×1010太陽質量のブラックホールからジェットが噴出した。
・計算し、表に記す。
１２．１つは宇宙の初期の時代、泡構造と泡構造の間隔は小さい。その上、素粒子のエネルギーは大きいので引力は大きい。
この引力により、泡構造と泡構造は引かれあい、フィラメント構造を作る。
2つは、宇宙の中心のブラックホールが作った軌道が、その軌道の中に存在する泡構造の直径×泡構造の数、より小さい場合、フイラメント状構造になる。
１３．円周軌道の泡構造の数を73×2個とすると、フイラメント構造になる場合は、泡構造の中心のブラックホールの質量は1.675×1010太陽質量以上です。
円周軌道の泡構造の数を89×2個とすると、フイラメント構造になる場合は、泡構造の中心のブラックホールの質量は9.246×109太陽質量以上です。
これらの事を参考に、宇宙の形を考える。
【先行技術文献】
【特許文献】
【０００３】
【特許文献１】特願2013−023929
【特許文献１】特願2013−027190
【特許文献１】特願2013−028476
【特許文献１】特願2013−214732
【特許文献１】特願2014-075852
【特許文献１】特願2014−088643
【特許文献１】特願2014-103825
【発明の概要】
【発明が解決しようとする課題】
【０００４】
解決しようとする問題点は、宇宙の形はどのようになっているかです。
【課題を解決するための手段】
【０００５】
宇宙の中心のブラックホールは陽子のラブでできています。ビッグバンの以前、中心に存在した陽子のラブの集団が爆発した時、陽子のラブの集団の外側は飛び出した。
陽子のラブの集団の中心は、塊のままです。それは、まるで、太陽質量の8倍以上の星が超新星爆発をするとき、中心の中性子星が残り、太陽質量の30倍以上の星が超新星爆発をするとき、中心のブラックホールが残る現象と同じです。
ビッグバンの時、陽子のラブの集団の中心はそのままの位置に残り、それは、宇宙の中心のブラックホールになりました。
それで、宇宙の中心のブラックホールは走りません。それで、宇宙の中心のブラックホールは同じ位置で自転しています。
この事から、宇宙は球形であることが理解できます。
【発明の効果】
【０００６】
次の事から宇宙の形は球体であることが理解できた。
１．宇宙の中心のブラックホールはビッグバンの以前、陽子のラブの集団だったものが、ビッグバンで爆発した時飛散せず、中心部の固まったものです。
それは陽子のラブであるので、電子のラブのようには走らない。
１．宇宙が筒型になって走るためには、中央に、宇宙の中心のブラックホールが存在する必要がある。
１．宇宙の中心のブラックホールの質量は、2.631×1013太陽質量であるので光速に近い速さでは走れない。
それで、宇宙の中心のブラックホールは筒型の中心には存在しない。それで、宇宙の形は筒型ではない。
１．宇宙の中心のブラックホールから、10-17m時代、ジェットが噴出すると、現代その軌道は、2×109光年になっている。
U1.27大クーサー群は1.287×109光年の軌道半径に半円になっている。
大クエーサー群は１×109光年〜2.5×109光年の間の軌道半径に存在する
この事は、宇宙の中心のブラックホールは自転していて、走らない事を示す。
【図面の簡単な説明】
【０００７】
【図１】図１は宇宙の中心のブラックホールは回転(自転)し、走らない事を示す。宇宙の中心のブラックホールからジェット噴射し、ジェットはダークマターを活性化し、水素にし、その場は「超ブラックホールの素子」の場であったので、1011〜109太陽質量のブラックホールを作った。これが大クエーサーです。ジェットが届いた軌道半径は現代2×109光年です。U1.27大クエーサー群は1.287×109光年の軌道半径に存在し、大クエーサー群は2×109光年〜2.5×109光年に存在する。この事は、宇宙の中心のブラックホールは自転し、走らない事を示す。この事により、宇宙の形は球体です。
【発明を実施するための形態】
【０００８】
１．    宇宙の中心のブラックホールはどのようにできたか。
宇宙の中心のブラックホールは陽子のラブでできています。ビッグバンの以前、中心に存在した陽子のラブの集団が爆発した時、陽子のラブの集団の外側は飛び出した。
陽子のラブの集団の中心は、塊のままです。それは、まるで、太陽質量の8倍以上の星が超新星爆発をするとき、中心の中性子星が残り、太陽質量の30倍以上の星が超新星爆発をするとき、中心のブラックホールが残る現象と同じです。
ビッグバンの時、陽子のラブの集団の中心は残り、それは、宇宙の中心のブラックホールになった。
２．    宇宙の中心のブラックホールは一定の位置にいるか、それとも走るか。
宇宙の中心のブラックホールは一定の位置にいるか、それとも走るか。この事により、宇宙の形は変わる。その事については、次のように理解した。
2013年2月15日に提出した、特願2013−027190、「宇宙の形」において中心のブラックホールが移動しない場合、宇宙は球体です。その軌道にビッグバンからの歴史が刻み込まれている。中心のブラックホールが移動する場合も宇宙の形は小さな球体が3個付いている直径1010光年の球体です。
2013年2月16日に提出した、特願2013−028476、「宇宙の形2」におて、宇宙の中心のブラックホールが進んだ距離と宇宙の大きさを計算し、1010光年：10cm＝1010×9.46×1012×103×102：10＝9.46×1026：１、の縮図を示した。
３．    宇宙の中心のブラックホールは陽子のラブですから走らないと考える。
宇宙の中心のブラックホールは陽子のラブですから走らないと考える。
それで、宇宙の形は球体です。筒型には成っていない。
宇宙の中心のブラックホールの質量は2.631×1013太陽質量です。
それで、宇宙の中心のブラックホールは重いので、光速に近い速さでは走れない。
４．    宇宙の中心のブラックホールから地球までの距離はいくらか。
2014年2月27日に提出した、特願2014−037449、「宇宙の中心のブラックホールができた時空とU１．２７と泡構造」の「請求項６」において次のように理解した。
(「請求項６」    宇宙の中心のブラックホールから地球までの距離はいくらか。
・2013年10月15日に提出した、特願2013−214732、「大クエーサー群のU1.27とスローン・グレートウオールとCfA2グレートウオ―ル」に於いて次のように考えた。
１．宇宙の中心のブラックホールからU1.27までの軌道半径は12.866×108光年で、この軌道速度は、6.298×102Kmです。
１．宇宙の中心のブラックホールから地球までの軌道半径は142.066×108光年で、この軌道の速度は1.895×102Kmです。
１．U1.27から地球までの距離は、129.2×108光年です。
・2013年2月11日に提出した、特願2013-023929、「宇宙の形と宇宙の直径と宇宙の質量と宇宙の運動と泡宇宙」に於いて次のように考えた。
１．宇宙の中心のブラックホールが作る速度が3×102Kmの軌道半径は、5.663×109光年です。
１．銀河系のすぐ近くに存在する、半径108光年のボイドの端の銀河系の速度を3×102Kmとすると、そのボイドの中心には、6.194×1010太陽質量のブラックホールがある。
この２つは、ボイドの周囲の速度を3×102Kmとし、かつまた、宇宙の端の速度を3×102Kmとしている。
宇宙の中心のブラックホールが作る宇宙の端の軌道速度は3×102Kmより遅いと考える。
それで、宇宙の軌道半径は5.663×109光年より大きいと考える)
U1.27の観察より、宇宙の中心のブラックホールから地球までの距離は142×108光年とし、宇宙の中心のブラックホールからブラックホールゾーンの間隔を6×108光年とし、地球からブラックホールゾーンまでの距離を136×108光年とした。
これを宇宙の距離とする。
５．    大クエーサー群の多くは、宇宙の中心のブラックホールから、半径10×108光年〜25×108光年の軌道に存在する。この事は何を意味するか。
2014年4月1日に提出した、特願2014−075852、「星の中央の中性子の塊と引力と宇宙の初期の中性子の塊と引力でできる元素」で理解したこと。
(１．大クエーサー群が109光年の軌道半径に存在する理由は、宇宙の中心のブラックホールのジェトがそれを作ったからです。
２．大クエーサー群の多くは、宇宙の中心のブラックホールから、半径10×108光年〜25×108光年の軌道に存在する。(これは、2014年3月19日に、日本天文学会で発表した)
表１
2016039667.tif 000003
-は地球の位置の反対方向を示す。)
宇宙の中心のブラックホールは2.631×1013太陽質量です。10-17m時代、ジェットは噴出し、2.036×106光年の軌道半径に届き、この軌道のダークマターを活性化して、水素にし、その場は「超ブラックホールの素子」であるので、1011〜109太陽質量のブラックホールを作った。
1011〜109太陽質量のブラックホールが集まって大クエーサー群になった。
その軌道半径は現代、2.036×109光年の軌道半径になっている。(これについては、2014年４月23日に提出した、「宇宙の泡構造とフィラメント構造」に記した)
そして、この大クエーサー群は、現代、半径10×108光年〜25×108光年の軌道に存在する。
この事は、宇宙の中心のブラックホールは特定のところに居て、自転しながらジェットを噴出していた証拠です。
宇宙の中心のブラックホールは移動しなかった。この事は宇宙の形は球体であることを示す。
６．    U1.27の質量は合計で6.1×1018太陽質量です。U1.27の長さは最大で40.4×108光年で、この長さは宇宙の半円周だった。U1.27が宇宙の半円周に存在する泡構造達の中心のブラックホールになった。この事は何を意味するか。
2014年2月27日に提出した、特願2014−037449、「宇宙の中心のブラックホールができた時空とU１．２７と泡構造」において、次のように理解した。
(３．U1.27の大クエーサー1個のブラックホールの質量と、銀河系のすぐ近くに存在するボイドの中心のブラックホールの質量はほぼ等しい。
それで、U1.27の大クエーサー1個が、銀河系のすぐ近くに存在するボイドの中心のブラックホールになった、と推測できる。
U1.27の大クエーサー1個が、泡構造の中心のブラックホールになったと考えられる。
４．泡構造の中心のブラックホールの質量が6.194×1010太陽質量の場合、宇宙の半円周に存在する泡構造達の全質量は5.215×1018太陽質量です。(宇宙の半径を5.663×109光年とする)
５．U1.27の質量は合計で6.1×1018太陽質量です。U1.27の長さは最大で40.4×108光年で、この長さは宇宙の半円周だった。
U1.27が宇宙の半円周に存在する泡構造達になった)
これらの事は、宇宙の中心のブラックホールは特定の位置にいて、自転しながらジェットを噴出していた事を示す。
それで、半円にU1.27の大クエーサー群ができた。
宇宙の中心のブラックホールは特定の位置にいて、自転しながらジェットを噴出していた。
それで、宇宙の形は球体です。
【産業上の利用可能性】
【０００９】
宇宙について考えることは、思考力を鍛えることであり、産業を発展させる力になる。
【符号の説明】
【００１０】
１    宇宙の中心のブラックホールは自転していて走らない(移動しない)
２    ブラックホールゾーンは6×108光年まで
３    地球からブラックホールゾーンまでは136×108光年
４    U1.27は宇宙の半円に存在する  1.287×109光年の軌道半径
５    宇宙の中心のブラックホールのジェットが届いた軌道は、現代2×109光年の軌道半径になっている  
６    大クエーサー群が存在する１×109光年の軌道半径
７    大クエーサー群が存在する2.5×109光年の軌道半径
８    地球  
９    地球と宇宙の中心のブラックホールの距離は142.066×108光年  この軌道の速度は1.895×102Km
【図１】
2016039667.tif 000005